(57)【特許請求の範囲】
【請求項１】
タング部材のタング部が挿入されるタング挿入口およびタング挿入口に続くタング挿入路を有するバックル本体と、
前記バックル本体内に収納されてその基端部で揺動可能に支持されると共に、その他端部近傍に設けられて前記タング部の係止部に係脱自在に係止するフック部が前記タング挿入路に臨出する方向に弾発付勢されたフック部材と、
前記フック部材に当接されると共に、フック部材の揺動方向に対して相対的に揺動自在で、かつ前記タング部の挿入方向に沿って往復移動自在に保持され、前記タング挿入路に対する前記タング部挿入時にタング部と当接してタング挿入路から退避移動されるイジェクタと、
一端部が前記イジェクタに支持されると共に他端部が前記バックル本体内壁部に支持され、前記イジェクタをタング挿入路に進出する方向に弾発付勢する押出バネ部材と、
前記バックル本体より外部に臨出され、前記フック部と前記係止部との係止状態を解除する方向に前記フック部材を揺動させる解除操作部と、
を備え、
前記フック部材は、前記フック部が設けられたフック本体部と、該フック本体部に前記タング挿入路を挟んで対向配置された前記解除操作部と、フック本体部と解除操作部とを前記基端部で連結すると共に前記イジェクタを保持する連結保持部とを備えてなることを特徴とするバックル装置。
【請求項２】
前記タング部の非挿入状態において、前記イジェクタと前記フック部材とが、フック部材の揺動軸心と略平行な直線の線接触状態で当接されて前記相対的に揺動自在とされていることを特徴とする請求項１記載のバックル装置。
【請求項３】
前記イジェクタが前記フック部材の揺動中心部近傍に位置して配置されたことを特徴とする請求項１または２記載のバックル装置。
【請求項４】
前記バックル本体に表示開口部が形成され、前記イジェクタに、前記フック部と前記係止部との係止状態で前記表示開口部に露出する表示部が備えられたことを特徴とする請求項１ないし３のいずれかに記載のバックル装置。
【発明の詳細な説明】
【０００１】
【発明の属する技術分野】
本発明は、チャイルドシート等に使用されるバックル装置の改良に関するものである。
【０００２】
【従来の技術】
近年、自動車による交通事故等の際に、乗車している年少者を傷害から防護し、または傷害を軽減すべく、自動車のシート上に取り付けるチャイルドシートが使用されている。
【０００３】
この種のチャイルドシートに採用されているシートベルト装置としては、例えば、チャイルドシートの座部の前側中央に股ウエビングの一端部が固定され、この股ウエビングの他端部にバックル本体が取り付けられている。また、チャイルドシートの座部に座った年少者の肩や腰にまたがってそれぞれ装着される一対のウエビングには、タング部材がそれぞれ取り付けられている。そして、これらタング部材をバックル本体に挿入することにより、互いに係脱自在に係止するように構成されている。
【０００４】
この種の係脱自在なバックル装置として、実開平４−３６８０９号公報に開示のものがあり、タング挿入口が形成されたバックル本体内に断面コ字状のロック部材がタング挿入路を横切って移動自在に設けられ、ロック部材の対向する平板部の一方にはタング挿入路に沿って挿入されるタング部材のタング部に係脱自在に係止するフック部が形成され、ロック部材をタング部とフック部の係止方向に弾発付勢するバネ部材を備えた構造とされていた。
【０００５】
【発明が解決しようとする課題】
しかしながら、上記従来公報に開示のバックル装置によれば、バックル解除操作時にロック部材を解除方向に押し込み操作してフック部とタング部との係止状態を解除した場合、タング部を外部に押し出すイジェクタ手段が備えられていないため、解除操作と同時にタング部材もしくはバックル本体を互いに離反する方向に引っ張る必要があり、解除操作が面倒であった。
【０００６】
この場合、タング部を外部に押し出すイジェクタ手段をバックル本体内に備える構造とすればよいのであるが、ロック部材全体がタング挿入路を横切って移動自在とされた構造であり、タング部を押し出すイジェクタやそれをガイドするガイド部材を設けるスペースが確保し難く、またイジェクタをタング部の押出方向に弾発付勢するバネ部材をバックル本体に対して固定できないという問題があった。
【０００７】
そこで、本発明は上記問題点に鑑み、簡単な構造のイジェクタ機構付きのバックル装置を提供することを目的とする。
【０００８】
【課題を解決するための手段】
上記課題を達成するための技術的手段は、タング部材のタング部が挿入されるタング挿入口およびタング挿入口に続くタング挿入路を有するバックル本体と、前記バックル本体内に収納されてその基端部で揺動可能に支持されると共に、その他端部近傍に設けられて前記タング部の係止部に係脱自在に係止するフック部が前記タング挿入路に臨出する方向に弾発付勢されたフック部材と、前記フック部材に当接されると共に、フック部材の揺動方向に対して相対的に揺動自在で、かつ前記タング部の挿入方向に沿って往復移動自在に保持され、前記タング挿入路に対する前記タング部挿入時にタング部と当接してタング挿入路から退避移動されるイジェクタと、一端部が前記イジェクタに支持されると共に他端部が前記バックル本体内壁部に支持され、前記イジェクタをタング挿入路に進出する方向に弾発付勢する押出バネ部材と、前記バックル本体より外部に臨出され、前記フック部と前記係止部との係止状態を解除する方向に前記フック部材を揺動させる解除操作部と、を備え、前記フック部材は、前記フック部が設けられたフック本体部と、該フック本体部に前記タング挿入路を挟んで対向配置された前記解除操作部と、フック本体部と解除操作部とを前記基端部で連結すると共に前記イジェクタを保持する連結保持部とを備えてなる点にある。
【０００９】
また、前記タング部の非挿入状態において、前記イジェクタと前記フック部材とが、フック部材の揺動軸心と略平行な直線の線接触状態で当接されて前記相対的に揺動自在とされている構造としてもよい。
【００１０】
さらに、前記イジェクタが前記フック部材の揺動中心部近傍に位置して配置された構造としてもよい。
【００１１】
また、前記バックル本体に表示開口部が形成され、前記イジェクタに、前記フック部と前記係止部との係止状態で前記表示開口部に露出する表示部が備えられた構造としてもよい。
【００１３】
【発明の実施の形態】
以下、本発明のバックル装置にかかる実施形態を図面に基づいて説明すると、図１はクッション材等を省略した乳児用チャイルドシート１の斜視図を示しており、乳児用チャイルドシート１の座部２の前側中央に股ウエビング３の一端部が固定され、この股ウエビング３の他端部にバックル本体４が取り付けられている。また、乳児用チャイルドシート１の座部２に座った年少者の左右の肩にまたがってそれぞれ装着される肩ウエビング５、６の端部には、タング部材７、８がそれぞれ取り付けられている。そして、これらタング部材７、８をバックル本体４内に挿入することにより、互いに係脱自在に係止するように構成されている。
【００１４】
また、両肩ウエビング５、６は乳児用チャイルドシート１の背もたれ部９で、背面側に引き出され互いに連結状とされている。そして、その連結状とされた部分に長さ調整用ウエビング１０の一端部が連結され、長さ調整用ウエビング１０の他端部が座部２の下側を通じて乳児用チャイルドシート１前部の引出部からアジャスタ１１を介して引き出されている。
【００１５】
このアジャスタ１１は、長さ調整用ウエビング１０を解除自在に挟持して長さ調整用ウエビング１０を固定するもので、長さ調整用ウエビング１０の引出量を調整した後、長さ調整用ウエビング１０をアジャスタ１１で固定すれば、背もたれ部９の前側に引き出される両肩ウエビング５、６の長さを所望に調整できるように構成されている。
【００１６】
なお、図１は一例としての乳児用チャイルドシート１の斜視図を示しているが、一般的チャイルドシートであってもよいことは言うまでもない。
【００１７】
本バックル装置は、図２ないし図２６にも示される如く、左右のタング部材７、８と、タング部材７、８が挿入されるバックル本体４と、バックル本体４に収納されてタング部材７、８に係止されるフック部材１４およびタング部材７、８を押し出すイジェクタ１５とを備える。
【００１８】
各タング部材７、８は樹脂等によりそれぞれ成形されてなり、図２ないし図５および図８に示される如く、一方に肩ウエビング５、６がそれぞれ挿通状として取付固定されるウエビング挿通孔７ａ、８ａを有するウエビング取付部７ｂ、８ｂを備え、他方にバックル本体４内に挿入されるタング部７ｃ、８ｃが備えられている。
【００１９】
各タング部７ｃ、８ｃは互いに重合可能な略平板状に形成されており、重合状態での位置ズレを規制すべく、下側のタング部８ｃの上面には、幅方向に適宜長さを有する位置決め用長溝８ｄが形成されると共に、タング部８ｃの挿入側端縁に幅方向に離隔して一対の位置決め用突起８ｅが突設されている。一方、対向する上側のタング部７ｃの下面には、前記位置決め用長溝８ｄに嵌脱自在に嵌合される位置決め用突条７ｄが突設されると共に、前記両位置決め用突起８ｅが嵌合係止される位置決め用段部７ｅが形成されている。
【００２０】
なお、各タング部７ｃ、８ｃを重合させる際、ウエビング取付部７ｂ、８ｂが互いに干渉しないように、各タング部７ｃ、８ｃの一側方にそれぞれ偏倚してウエビング取付部７ｂ、８ｂが備えられている。
【００２１】
また、下側のタング部８ｃの下面には、フック部材１４に備えられたフック部１４ａが係脱自在に係止する係止部としての幅方向に適宜長さを有する係止溝８ｆが形成されると共に、ウエビング取付部８ｂ側の幅方向中央部に、バックル本体４におけるタング挿入口４ａの幅方向中央部下部に形成された位置合わせ凹部４ｂに嵌合される位置合わせ突部８ｇが突設されている。
【００２２】
前記バックル本体４は上下二分割状の樹脂等により成形された上カバー体１７と下カバー体１８とからなり、図９ないし図１１に示される如く、下カバー体１８のタング挿入口４ａ側に位置した幅方向両側部にはフック状の係合突部１８ａがそれぞれ突設されると共に、他端部側の中央部には幅方向に細長状とされたウエビング挿通孔１８ｂが形成され、このウエビング挿通孔１８ｂの内周面におけるタング挿入口４ａ側に係止段部１８ｃが凹設されている。
【００２３】
また、図１２ないし図１４に示される如く、上カバー体１７のタング挿入口４ａ周縁部の両側下部に、前記係合突部１８ａが係脱自在に係合される係合孔１７ａがそれぞれ形成されると共に、他端部側の中央部には前記ウエビング挿通孔１８ｂに対応して幅方向に細長状とされたウエビング挿通孔１７ｂが形成され、このウエビング挿通孔１７ｂの周縁部下面におけるタング挿入口４ａ側に前記係止段部１８ｃに係脱自在に係止されるフック状の係止片部１７ｃが下向きに突設されている。
【００２４】
そして、下カバー体１８の両係合突部１８ａを上カバー体１７の両係合孔１７ａに係合させた状態で、係止段部１８ｃに係止片部１７ｃを係止させることにより、上カバー体１７と下カバー体１８とが互いに連結されるように構成されている。この連結によって、図４ないし図７に示される如く、両ウエビング挿通孔１７ｂ、１８ｂが互いに連通状となるように構成されると共に、タング挿入口４ａの内部側に各タング部７ｃ、８ｃが重合されて挿入されるタング挿入路４ｃが構成される。
【００２５】
前記フック部材１４は、樹脂等により成形されてなり、図４ないし図７、図１６ないし図１９に示される如く、前記タング挿入路４ｃを挟んで対向配置された下側のフック本体部１４ｂおよび上側の解除操作部１４ｃと、フック本体部１４ｂと解除操作部１４ｃとをタング挿入口４ａの反対側に位置する基端部で互いに連結する連結保持部１４ｄと、フック本体部１４ｂと解除操作部１４ｃとをタング挿入口４ａ側の両側部でそれぞれ外側方に膨出状として互いに連結する膨出連結部１４ｅとを備える。
【００２６】
そして、フック本体部１４ｂのタング挿入口４ａ側端部上面に前記フック部１４ａが幅方向に適宜長さを有して突設されている。
【００２７】
また、連結保持部１４ｄの両側面には、外側方に突出する支持翼部１４ｆがそれぞれ突設され、各支持翼部１４ｆのタング挿入口４ａ側端面はタング挿入口４ａ方向に膨出する円弧状に形成されている。そして、フック部材１４がバックル本体４内に収納された状態において、図７に示される如く、各支持翼部１４ｆは、下カバー体１８の両側部にそれぞれ備えられた翼支持面１８ｄと、上カバー体１７の両側部にそれぞれ備えられた翼支持面１７ｄとの間で支持され、また、各支持翼部１４ｆの前記円弧状部分は各翼支持面１７ｄより下方に延設された支持壁面１７ｅに摺動自在に当接して支持されるように構成されている。
【００２８】
そして、上下の翼支持面１７ｄと翼支持面１８ｄとの相互間で支持翼部１４ｆが支持されて、支持翼部１４ｆの前記円弧状部分と支持壁面１７ｅとの相対摺動を介してフック部材１４のタング挿入口４ａ側が揺動可能とされ、ここに、フック部材１４の基端部がバックル本体４に揺動可能に支持される。
【００２９】
また、フック部１４ａ下側に対応する下カバー体１８の上面側には、バネ受凹部１８ｅが形成されており、このバネ受凹部１８ｅとフック本体部１４ｂ下面との間に戻しバネ部材としての円すいコイルバネ２０が装着されている。そして、円すいコイルバネ２０の弾発力により、支持翼部１４ｆを揺動中心としてフック部材１４を上昇復帰するように弾発付勢しており、ここに、フック部１４ａがタング挿入路４ｃに臨出する方向に、フック部材１４が常時付勢されている。
【００３０】
このフック部材１４の基端部を中心として揺動される上昇位置は、フック部材１４両側の膨出連結部１４ｅが上カバー体１７に形成された操作開口部１７ｆ周縁部の下面に当接することにより所定位置で停止される。また、操作開口部１７ｆは、解除操作部１４ｃに対応した大きさ・形状に形成されており、前記膨出連結部１４ｅが操作開口部１７ｆ周縁部の下面に当接した状態で、解除操作部１４ｃは操作開口部１７ｆに内側より遊嵌状に嵌合すべく配置され、外部に臨出した構造とされる。
【００３１】
そして、操作開口部１７ｆから臨出した解除操作部１４ｃを円すいコイルバネ２０の弾発力に抗して押し込み操作することにより、図７に示される如く、フック部材１４が基端部である支持翼部１４ｆ側を中心として揺動され、フック部１４ａがタング挿入路４ｃより下方に退避するように構成されている。
【００３２】
また、フック部材１４のタング挿入口４ａに対向する連結保持部１４ｄには、図１９にも示される如く、イジェクタ１５を案内保持するインジェクタ保持孔１４ｇが形成されており、インジェクタ保持孔１４ｇにイジェクタ１５が嵌合状に保持されて、タング部７ｃ、８ｃの挿入方向に沿って往復移動自在に案内されるように構成されている。
【００３３】
そして、このイジェクタ１５と上カバー体１７に装着されたバネ受体２２との相互間にわたって、押出バネ部材としての円筒コイルバネ２３が圧縮状に装着されており、イジェクタ１５をタング挿入路４ｃに進出する方向、即ちタング部７ｃ、８ｃの押出方向に弾発付勢する構造とされている。
【００３４】
このバネ受体２２が装着される位置に対応した操作開口部１７ｆとウエビング挿通孔１７ｂとの間に位置した上カバー体１７には、幅方向に長い楕円状の表示開口部１７ｇが形成されており、バックル本体４の外部より表示開口部１７ｇを通じてバネ受体２２の上面一部が視認可能に構成されている。
【００３５】
即ち、バネ受体２２は、赤色に着色された樹脂により成形されてなり、図２０ないし図２２にも示される如く、表示開口部１７ｇの両側部に形成された嵌合凹部１７ｈに押し込み嵌入される張出部２２ａを両側にそれぞれ備えると共に、幅方向中央部の下面側に円筒コイルバネ２３の一端部が嵌合状に保持される半割れ筒状のバネ保持部２２ｂが備えられている。そして、各張出部２２ａが上カバー体１７の両嵌合凹部１７ｈに押し込み嵌合されることにより、バネ受体２２が上カバー体１７の内面側に装着され、この装着状態において、バネ受体２２の上面が表示開口部１７ｇを通じて外部から視認可能とされる。なお、バネ保持部２２ｂの下側に対向する下カバー体１８の上面には、バネ保持部２２ｂに保持される円筒コイルバネ２３の下方への離脱を防止すべく、バネ保持部２２ｂの近傍まで突出されたバネ押さえ部１８ｇが備えられている。
【００３６】
また、このバネ受体２２の装着状態において、バネ受体２２の上面と上カバー体１７の下面とはタング部７ｃ、８ｃの挿入方向に対して所定の間隙を有して配置された構造とされ、バネ受体２２のタング挿入口４ａと反対側の端面は係止片部１７ｃ上部の上カバー体１７内壁面に当接状とされている。
【００３７】
前記イジェクタ１５は、緑色に着色された樹脂により成形されてなり、図２３ないし図２６にも示される如く、フック部材１４のインジェクタ保持孔１４ｇに往復移動自在に案内されて保持される角柱状のタング押出部１５ａと、タング押出部１５ａにおけるタング挿入口４ａと反対側の端部より両側方に張出形成された進出規制壁部１５ｂと、タング押出部１５ａにおけるタング挿入口４ａと反対側の上端部よりバネ受体２２方向に延設されると共に、バネ受体２２の上面と上カバー体１７の下面の間隙に摺動自在に挿入される表示部としてのロック表示部１５ｃと、タング押出部１５ａにおけるタング挿入口４ａと反対側の幅方向中央部下面より下向きに延設されると共に、下カバー体１８の上面に備えられたイジェクタ保持溝部１８ｆ内に遊嵌状に支持される半円柱状のガイド部１５ｄとを備え、タング押出部１５ａには、バネ受体２２側よりタング挿入口４ａ方向の円形状のバネ保持孔１５ｅが形成され、円筒コイルバネ２３の他端部が挿入状に保持されている。
【００３８】
そして、図６に示される如く、タング部７ｃ、８ｃの非挿入状態で、円筒コイルバネ２３の弾発力によりイジェクタ１５がタング挿入口４ａ方向に押し出された進出状態においては、両側の進出規制壁部１５ｂのタング挿入口４ａ側の当接面１５ｆが、連結保持部１４ｄのタング挿入口４ａと反対側の傾斜面１４ｈに、フック部材１４の揺動軸心と略平行な直線の線接触状態で当接されている。この際、ガイド部１５ｄはイジェクタ保持溝部１８ｆ内に遊嵌され、両側の進出規制壁部１５ｂの両側面およびロック表示部１５ｃの両側面は、フック部材１４の連結保持部１４ｄの互いに対向する内側面に摺動自在に保持され、両側の進出規制壁部１５ｂ下面はイジェクタ保持溝部１８ｆの両側上面にそれぞれ摺動自在に載置状態で支持され、ロック表示部１５ｃはバネ受体２２の上面と上カバー体１７の下面との間隙に保持されており、ここに、イジェクタ１５はタング部７ｃ、８ｃの挿入方向に沿って往復移動自在に保持された状態とされている。
【００３９】
また、イジェクタ１５のロック表示部１５ｃは、バネ受体２２の上面と上カバー体１７の下面との間隙に摺動自在に挿入された状態で、かつ表示開口部１７ｇの位置よりタング挿入口４ａ方向に退避した位置に配置されている。
【００４０】
そして、図７に示される如く、フック部材１４が揺動操作された際、解除操作部１４ｃ下面とタング押出部１５ａ上面とが干渉しないように適宜空間を有してイジェクタ１５はフック部材１４のインジェクタ保持孔１４ｇに保持され、ここに、フック部材１４とイジェクタ１５とは相対的に揺動自在とされ、この相対的な揺動に際して、進出規制壁部１５ｂの当接面１５ｆと連結保持部１４ｄの傾斜面１４ｈとの線接触状態が維持されるように構成されている。
【００４１】
また、タング部８ｃの係止溝８ｆとフック部材１４のフック部１４ａとが係止されたタング部７ｃ、８ｃの挿入状態においては、イジェクタ１５がタング挿入路４ｃから退避移動されて、図４に示される如く、ロック表示部１５ｃが表示開口部１７ｇに位置され、表示開口部１７ｇからロック表示部１５ｃが露出して外部から視認可能に構成されている。
【００４２】
この際、バネ受体２２の上面は、図２２に示される如く、適宜半径Ｒ１を有した上向膨出状のイジェクタ１５の移動方向に延びる凸条面とされ、バネ受体２２と対向する上カバー体１７の下面は、図１５に示される如く、適宜半径Ｒ２を有した下向膨出状のイジェクタ１５の移動方向に延びる凸条面とされている。
【００４３】
これに対し、バネ受体２２の上面と上カバー体１７の下面との間隙に挿入されるイジェクタ１５のロック表示部１５ｃにおけるその下面および上面は、図２５に示される如く、バネ受体２２や上カバー体１７の凸条面に対応した適宜半径Ｒ３、Ｒ４を有した移動方向に延びる凹溝面とされており、各面が互いに相対摺動自在に構成されている。
【００４４】
本実施形態は以上のように構成されており、図５に示される如く、各タング部７ｃ、８ｃの非挿入状態においては、バックル本体４の表示開口部１７ｇにバネ受体２２上面の赤色が露出している。そして、左右の両タング部材７、８のタング部７ｃ、８ｃを互いに重合状として、バックル本体４のタング挿入口４ａを通じてタング挿入路４ｃに挿入していけば、タング部７ｃ、８ｃの挿入端とタング挿入路４ｃに臨出しているフック部１４ａとが当接する。
【００４５】
その後さらに挿入していけば、タング部７ｃ、８ｃによりフック部１４ａが円すいコイルバネ２０の弾発力に抗して押し下げられ、図７に示される如く、タング挿入路４ｃから退避すべく、フック部材１４が基端部である支持翼部１４ｆを中心として下向きに揺動される。
【００４６】
この際、フック部材１４における連結保持部１４ｄの傾斜面１４ｈと、イジェクタ１５における進出規制壁部１５ｂの当接面１５ｆとが、線接触状態で当接されているため、相対的に揺動自在であり、またイジェクタ１５は円筒コイルバネ２３によってもタング挿入路４ｃ進出方向に常時付勢されているため、フック部材１４の揺動に際してイジェクタ１５が一体的に揺動せず、タング挿入口４ａに対向する略一定の姿勢で維持される。
【００４７】
その後、タング部７ｃ、８ｃの挿入端は、タング挿入路４ｃに進出状態のイジェクタ１５に当接し、さらに挿入していけば、フック部材１４のインジェクタ保持孔１４ｇおよび連結保持部１４ｄの案内下、円筒コイルバネ２３の付勢力に抗してタング挿入路４ｃから退避移動され、その後、タング部８ｃの係止溝８ｆとフック部１４ａとが合致した位置で、円すいコイルバネ２０に蓄勢された弾発力によりフック部材１４が基端部を中心に上向きに揺動され、図４に示される如く、フック部１４ａと係止溝８ｆとが係止したロック状態が得られる。
【００４８】
この際、タング部７ｃ、８ｃによって押し込まれて退避移動したイジェクタ１５のロック表示部１５ｃが表示開口部１７ｇ位置に移動し、その上面の緑色が表示開口部１７ｇより露出される。
【００４９】
次に、このロック状態を解除する場合には、操作開口部１７ｆに臨出している解除操作部１４ｃのタング挿入口４ａ側を円すいコイルバネ２０の弾発力に抗して押し込み操作すれば、フック部材１４が基端部を中心として下向きに揺動し、この揺動によってフック部１４ａがタング挿入路４ｃから退避し、フック部１４ａと係止溝８ｆとの係止状態が解除される。
【００５０】
この係止状態の解除により、円筒コイルバネ２３に蓄勢された弾発力により弾発付勢されているイジェクタ１５がタング挿入路４ｃに進出する方向に押し出され、このイジェクタ１５の進出によりタング部７ｃ、８ｃがタング挿入口４ａより押し出され、初期状態に復帰する。
【００５１】
以上のように、イジェクタ１５がフック部材１４の連結保持部１４ｄに形成されたインジェクタ保持孔１４ｇおよび両側の連結保持部１４ｄ内側面によって、タング部７ｃ、８ｃの挿入方向に沿って往復移動自在に案内されると共に、相対的に揺動自在に構成されているため、イジェクタ１５を案内するガイド部材を別途設ける必要がなく、イジェクタ１５を弾発付勢する円筒コイルバネ２３の他端側もバックル本体４の内壁部側で容易に固定保持でき、小型で安価な簡単な構造のイジェクタ機構付きのバックル装置が提供できる。
【００５２】
また、フック部材１４の揺動に際してイジェクタ１５が一体的に揺動せず、イジェクタ１５がタング挿入口４ａに対向する略一定の姿勢で維持される利点もある。
【００５３】
さらに、フック部材１４の揺動中心部である支持翼部１４ｆ位置の近傍に位置してイジェクタ１５が配置されているため、フック部材１４の揺動回転量が最小限となる位置にイジェクタ１５が位置し、イジェクタ１５の姿勢がより一層安定する。
【００５４】
また、フック部材１４における連結保持部１４ｄの傾斜面１４ｈと、イジェクタ１５における進出規制壁部１５ｂの当接面１５ｆとが、線接触状態で当接されているため、フック部材１４とイジェクタ１５とが相対的に揺動自在であり、フック部材１４の姿勢に左右されずに、イジェクタ１５の姿勢が安定し、従って、円筒コイルバネ２３によるイジェクタ１５の付勢方向がタング挿入路４ｃの進出方向となり、フック部材１４の解除操作力に何ら影響を与えず、イジェクタ１５によるタング部７ｃ、８ｃの押出力が常に良好に発揮できる。
【００５５】
さらに、タング部７ｃ、８ｃの非ロック状態においては、表示開口部１７ｇに赤色のバネ受体２２が露出し、タング部材７、８の挿入による係止溝８ｆとフック部１４ａとのロック状態においては、表示開口部１７ｇに緑色のロック表示部１５ｃが露出する構造であり、ロック状態を視覚により容易に確認できる利点がある。
【００５６】
また、解除操作部１４ｃをフック部材１４に一体に備えた構造であり、部品点数の削減が図れ、イジェクタ１５と円筒コイルバネ２３の追加によって容易にイジェクタ機構が提供でき、この点からも小型で安価な簡単な構造のイジェクタ機構付きのバックル装置が提供できる。
【００５７】
さらに、本実施形態のような乳児用バックル装置であれば、ほとんどの部品を樹脂製とすることができ、より軽量化が図れる利点もある。
【００５８】
なお、上記実施形態において、バネ受体２２を介してバックル本体４の内壁部で円筒コイルバネ２３の一端部を支持した構造を示しているが、バネ受体２２を備えずに、直接、バックル本体４の内壁部で円筒コイルバネ２３の一端部を支持する構造としてもよい。
【００５９】
【発明の効果】
以上のように、本発明のバックル装置によれば、タング部材のタング部が挿入されるタング挿入口およびタング挿入口に続くタング挿入路を有するバックル本体と、バックル本体内に収納されてその基端部で揺動可能に支持されると共に、その他端部近傍に設けられて前記タング部の係止部に係脱自在に係止するフック部がタング挿入路に臨出する方向に弾発付勢されたフック部材と、フック部材に当接されると共に、フック部材の揺動方向に対して相対的に揺動自在で、かつタング部の挿入方向に沿って往復移動自在に保持され、タング挿入路に対するタング部挿入時にタング部と当接してタング挿入路から退避移動されるイジェクタと、一端部がイジェクタに支持されると共に他端部がバックル本体内壁部に支持され、イジェクタをタング挿入路に進出する方向に弾発付勢する押出バネ部材と、バックル本体より外部に臨出され、フック部と係止部との係止状態を解除する方向にフック部材を揺動させる解除操作部とを備え、フック部材は、フック部が設けられたフック本体部と、該フック本体部にタング挿入路を挟んで対向配置された解除操作部と、フック本体部と解除操作部とを基端部で連結すると共にイジェクタを保持する連結保持部とを備えてなるものであり、イジェクタを案内するガイド部材を別途設ける必要がなく、イジェクタを弾発付勢する押出バネ部材の他端側もバックル本体の内壁部で容易に支持でき、簡単な構造のイジェクタ機構付きのバックル装置が提供できるという利点がある。
そして、フック部材は、フック部が設けられたフック本体部と、フック本体部にタング挿入路を挟んで対向配置された解除操作部と、フック本体部と解除操作部とを基端部で連結すると共にイジェクタを保持する連結保持部とを備えてなる構造であるため、部品の兼用化により、部品点数の削減が図れ、小型で安価な簡単な構造のイジェクタ機構付きのバックル装置が提供できるという利点がある。
【００６０】
また、タング部の非挿入状態において、イジェクタとフック部材とが、フック部材の揺動軸心と略平行な直線の線接触状態で当接されて相対的に揺動自在とされている構造とすれば、フック部材はイジェクタに対して自由に揺動自在であり、フック部材の姿勢に左右されずに、イジェクタの姿勢が安定し、従って、フック部材の解除操作力に何ら影響を与えず、イジェクタによるタング部の押出力が常に良好に発揮できるという利点がある。
【００６１】
さらに、イジェクタがフック部材の揺動中心部近傍に位置して配置された構造とすれば、フック部材の揺動回転量が最小限となる位置にイジェクタが位置するため、イジェクタの姿勢がより一層安定するという利点がある。
【００６２】
また、バックル本体に表示開口部が形成され、イジェクタに、フック部と係止部との係止状態で表示開口部に露出する表示部が備えられた構造とすれば、ロック状態において表示開口部に表示部が露出するので、ロック状態を視覚により容易に確認できるという利点がある。
【００６４】
さらには、本実施形態のような乳児用バックル装置であれば、ほとんどの部品を樹脂製とすることができ、より軽量化が図れるという利点もある。
【図面の簡単な説明】
【図１】本発明の実施形態が採用された乳児用チャイルドシートの全体斜視図である。
【図２】バックル装置の平面図である。
【図３】図２に示されるバックル装置の正面図である。
【図４】図２のＩＶ−ＩＶ線断面矢視図である。
【図５】バックル装置の動作説明断面図である。
【図６】バックル装置の動作説明断面図である。
【図７】バックル装置の動作説明断面図である。
【図８】左右のタング部材の組付説明図である。
【図９】下カバー体の平面図である。
【図１０】図９のＸ−Ｘ線断面矢視図である。
【図１１】図９に示される下カバー体の底面図である。
【図１２】上カバー体の断面正面図である。
【図１３】図１２に示される上カバー体の右側面図である。
【図１４】図１２に示される上カバー体の底面図である。
【図１５】図１２のＸＶ−ＸＶ線断面矢視図である。
【図１６】フック部材の正面図である。
【図１７】図１６に示されるフック部材の平面図である。
【図１８】図１６に示されるフック部材の底面図である。
【図１９】図１６に示されるフック部材の右側面図である。
【図２０】バネ受体の平面図である。
【図２１】図２０に示されるバネ受体の底面図である。
【図２２】図２０に示されるバネ受体の右側面図である。
【図２３】イジェクタの正面図である。
【図２４】図２３に示されるイジェクタの底面図である。
【図２５】図２３に示されるイジェクタの左側面図である。
【図２６】図２３に示されるイジェクタの右側面図である。
【符号の説明】
４  バックル本体
４ａ  タング挿入口
４ｃ  タング挿入路
７、８  タング部材
７ｃ、８ｃ  タング部
８ｆ  係止溝
１４  フック部材
１４ａ  フック部
１４ｂ  フック本体部
１４ｃ  解除操作部
１４ｄ  連結保持部
１４ｆ  支持翼部
１４ｇ  インジェクタ保持孔
１４ｈ  傾斜面
１５  イジェクタ
１５ａ  タング押出部
１５ｂ  進出規制壁部
１５ｃ  ロック表示部
１５ｄ  ガイド部
１５ｅ  バネ保持孔
１５ｆ  当接面
１７  上カバー体
１７ｇ  表示開口部
１８  下カバー体
２０  円すいコイルバネ
２２  バネ受体
２３  円筒コイルバネ
【図１】
0004008652.tif 000002
【図２】
0004008652.tif 000003
【図３】
0004008652.tif 000004
【図４】
0004008652.tif 000005
【図５】
0004008652.tif 000006
【図６】
0004008652.tif 000007
【図７】
0004008652.tif 000008
【図８】
0004008652.tif 000009
【図９】
0004008652.tif 000010
【図１０】
0004008652.tif 000011
【図１１】
0004008652.tif 000012
【図１２】
0004008652.tif 000013
【図１３】
0004008652.tif 000014
【図１４】
0004008652.tif 000015
【図１５】
0004008652.tif 000016
【図１６】
0004008652.tif 000017
【図１７】
0004008652.tif 000018
【図１８】
0004008652.tif 000019
【図１９】
0004008652.tif 000020
【図２０】
0004008652.tif 000021
【図２１】
0004008652.tif 000022
【図２２】
0004008652.tif 000023
【図２３】
0004008652.tif 000024
【図２４】
0004008652.tif 000025
【図２５】
0004008652.tif 000026
【図２６】
0004008652.tif 000027